(57)【要約】【課題】二つの発振器同士の干渉を無くした状態で回路基板の組立を簡素化し、構造的にも簡単で形状の小型化が図れるようにする。【解決手段】金属筺体１と、金属筺体１内に収納された回路基板５と、回路基板５上に構成され、入力された衛星放送帯の衛星放送信号を中間周波帯にダウンコンバートする第一の周波数変換部３１と第二の周波数変換部３２とを備え、第一の周波数変換部３１は第一の発振器３１ｃを有すると共に衛星放送帯の低域側の衛星放送信号を第一の発振器の局部発振信号によってダウンコンバートし、第二の周波数変換部３２は第二の発振器３２ｃを有すると共に衛星放送帯の高域側の衛星放送信号を第二の発振器３２ｃの局部発振信号によってダウンコンバートし、第一の発振器３１ｃ又は第二の発振器３２ｃのいずれか一方をシールドケース６内に収納した。【選択図】　　　　図１
2004048120.tif 000002
【特許請求の範囲】
【請求項１】
金属筺体と、前記金属筺体内に収納された回路基板と、前記回路基板上に構成された第一の周波数変換部と第二の周波数変換部とを備え、前記第一の周波数変換部は衛星放送帯の低域側の衛星放送信号を中間周波帯にダウンコンバートするための局部発振信号を出力する第一の発振器を有し、前記第二の周波数変換部は前記衛星放送帯の高域側の衛星放送信号を前記中間周波帯にダウンコンバートするための局部発振信号を出力する第二の発振器を有し、前記第一の発振器又は前記第二の発振器の少なくとも一方をシールドケース内に収納したことを特徴とする衛星放送受信用ダウンコンバータ。
【請求項２】
前記第一の周波数変換部には水平偏波の前記低域側の衛星放送信号が入力される第一の混合器と、垂直偏波の前記低域側の衛星放送信号が入力される第二の混合器とを設け、前記第二の周波数変換部には水平偏波の前記高域側の衛星放送信号が入力される第三の混合器と、垂直偏波の前記高域側の衛星放送信号が入力される第四の混合器とを設け、前記第一の発振器と前記第二の発振器とを共に動作状態にしたことを特徴とする請求項１に記載の衛星放送受信用ダウンコンバータ。
【請求項３】
前記第一の混合器乃至前記第四の混合器からそれぞれ出力される中間周波信号が入力されると共に前記四種の中間周波信号のいずれかを選択して二つの出力端子に独立して出力する二極四投の切替回路を設け、前記二つの出力端子を前記金属筺体に取り付けた二つのコネクタにそれぞれ接続したことを特徴とする請求項２に記載の衛星放送受信用ダウンコンバータ。
【発明の詳細な説明】
【０００１】
【発明の属する技術分野】
本発明は衛星放送受信用ダウンコンバータに関する。
【０００２】
【従来の技術】
従来の衛星放送受信用ダウンコンバータについて図４乃至図６を用いて説明する。図４は斜視図であり、直方体をなす金属製の筺体４１は鋳造等によって作られ、その一側面の端側には衛星からの放射された衛星信号を取り入れる導波管４２が取り付けらる。衛星放送信号は１０．７ＧＨｚ〜１２．７５ＧＨｚの衛星放送帯に配列されている。また、導波管４２が取り付けられた側から離れた他の側面には二つのコネクタ４３、４４が取り付けられている。
【０００３】
筺体４１の内部には図５に示すように、内部空間を二つの区画室４１ａ、４１ｂに分けるための隔壁４１ｃが導波管４２の軸方向に対して直角となる状態で筺体４１と一体に形成されている。また、各区画室４１ａ、４１ｂは隔壁４１ｃを挟んで開口しており、その内部には隔壁４１ｃに取り付けられた回路基板４５、４６が設けられる。そして、区画室４１ａ、４１ｂは回路基板４５、４６が取り付けられた後に金属カバー（図示せず）が開口に取り付けられて密封される。各回路基板４５、４６上には衛星放送信号を１乃至２ＧＨｚの中間周波帯に周波数変換するための回路が構成される。
【０００４】
導波管４２内に入ってきた水平偏波及び垂直偏波の衛星放送信号は一方の回路基板４５に導かれる。そして、それぞれ周波数変換された中間周波信号は各回路基板４５、４６からコネクタ４３、４４側に出力される。図６は各回路基板４５、４６上に構成される回路を示す。
【０００５】
先ず、一方の回路基板４５上に構成される回路を説明すると、水平偏波及び垂直偏波がそれぞれ入力される第一の低雑音増幅器５１、第二の低雑音増幅器６１は導波管４２に近い方に設けられ、その次段にはそれぞれ第一の分配器５２、第二の分配器６２が設けられる。第一の分配器５２及び第二の分配器６２のそれぞれの一方の出力端にはそれぞれ第一のバンドパスフィルタ５３、第二のバンドパスフィルタ６３が接続される。第一のバンドパスフィルタ５３及び第二のバンドパスフィルタ６３は衛星放送帯の低域側（１０．７ＧＨｚ〜１１．７ＧＨｚ）の衛星放送信号を通過する。
【０００６】
第一のバンドパスフィルタ５３には第一の混合器５５が接続され、第二のバンドパスフィルタ６３には第二の混合器５７が接続される。第一の混合器５５と第二の混合器５７とには第一の発振器５６から第一の局部発振信号が供給される。局部発振周波数は９．７５ＧＨｚである。第一の混合器５５と第二の混合器５７とには第一の切換回路５８が接続される。第一の切換回路５８は四つの入力端と一つの出力端を有し、出力端がいずれか一つの入力端に接続されるように切り替えられる。そして、第一の混合器５５と第二の混合器５７がそれぞれ一つの入力端に接続される。出力端は一方のコネクタ４３に接続される。
【０００７】
一方、他方の回路基板４６には第三のバンドパスフィルタ５４と第四のバンドパスフィルタ６４とが並設される。そして、一方の回路基板４５に構成された第１の分配器５２の他方の出力端が第三のバンドパスフィルタ５４に接続され、同様に回路基板４５に構成された第二の分配器６２の他方の出力端が第四のバンドパスフィルタ６４に接続される。従ってこの接続においては隔壁４１ｃに貫通孔を（図示せず）を設けてこの間通孔を通す導線によって接続する。第三及び第四のバンドパスフィルタ５４、６４は衛星放送帯の高域側（１１．７ＧＨｚ〜１２．７５ＧＨｚ）の衛星放送信号を通過する。
【０００８】
第三のバンドパスフィルタ５４には第三の混合器６５が接続され、第四のバンドパスフィルタ６４には第四の混合器６７が接続される。第三及び第四の混合器６５、６７には第二の発振器６６から第二の局部発振信号が供給される。
局部発振周波数は１０．６ＧＨｚである。また、第三の混合器６５と第二の混合器６７とには第二の切換回路６８が接続される。第二の切換回路６８は第一の切替回路５８と同じ構成を有する。そして、第三の混合器６５と第四の混合器６７がそれぞれ一つの入力端に接続される。更に、第一の混合器及び第二の混合器は第二の切換回路６８の残りの入力端に接続され、同様に、第三の混合器６５、第四の混合器６７も第一の切替回路５８の残りの入力端に接続される。従って、第一及び第二の混合器５５、５７と第二の切換回路６８との接続、及び第三及び第四の混合器６５、６７と第一の切替回路５８との接続においても隔壁４１ｃに貫通孔（図示せず）を設けてこの間通孔を通す導線によって接続する。第二の切換回路６８の出力端は他方のコネクタ４４に接続される。
【０００９】
以上の構成において、第一の混合器５５には水平偏波の低域側の衛星放送信号が入力され、第二の混合器５７には垂直偏波の低域側の衛星放送信号が入力される。その帯域幅は１ＧＨｚである。そして、第一の発振器５６から供給される９．７５ＧＨｚの第一の局部発振信号と混合されることで０．９５ＧＨｚ〜１．９５ＧＨｚの中間周波帯にブロック変換される。同様に、第三の混合器６５には水平偏波の高域側の衛星放送信号が入力され、第四の混合器６７には垂直偏波の高域側の衛星放送信号が入力される。その帯域幅は１．０５ＧＨｚである。そして、第二の発振器６６から供給される１０．６ＧＨｚの第二の局部発振信号と混合されることで１．１ＧＨｚ〜２．１５ＧＨｚの中間周波帯にブロック変換される。
変換された四種の中間周波信号は各切替回路５８、６８に入力され、そのうちの選択された一つの中間周波信号が各コネクタ４３、４４から出力される。
【００１０】
上記構成では、低域側の衛星放送信号を周波数変換するための第一の発振器５６と高域側の衛星放送信号を周波数変換するための第二の発振器６６とが異なる回路基板４５、４６上に構成され、しかも、二つの回路基板４５、４６が隔壁４１ｃによって分離された別々の区画室４１ａ、４１ｂに設けられているので、局部発振信号同士の干渉がない。
【００１１】
【発明が解決しようとする課題】
しかし、二つの発振器５６、６６を互いに異なる回路基板４５、４６に構成するので、二種類の回路基板の組立を要し、組立作業が煩雑になるという問題がある。また、水平偏波及び垂直偏波共に低域側の衛星放送信号と高域側の衛星放送信号を別々の回路基板に導くため、一方の回路基板と他方の回路基板とを隔壁を介して相互に接続ための構造が複雑となっていた。さらに、二枚の回路基板を収納する区画室が二つ必要となり、製品の形状（厚み）が大きくなって小型化が困難であった。
【００１２】
本発明は、これらの問題を解決し、二つの発振器同士の干渉を無くした状態で回路基板の組立を簡素化し、構造的にも簡単で形状の小型化が図れるようにすることを目的とする。
【００１３】
【課題を解決するための手段】
本発明では、上記課題を解決するために、金属筺体と、前記金属筺体内に収納された回路基板と、前記回路基板上に構成された第一の周波数変換部と第二の周波数変換部とを備え、前記第一の周波数変換部は衛星放送帯の低域側の衛星放送信号を中間周波帯にダウンコンバートするための局部発振信号を出力する第一の発振器を有し、前記第二の周波数変換部は前記衛星放送帯の高域側の衛星放送信号を前記中間周波帯にダウンコンバートするための局部発振信号を出力する第二の発振器を有し、前記第一の発振器又は前記第二の発振器の少なくとも一方をシールドケース内に収納した。
【００１４】
また、前記第一の周波数変換部には水平偏波の前記低域側の衛星放送信号が入力される第一の混合器と、垂直偏波の前記低域側の衛星放送信号が入力される第二の混合器とを設け、前記第二の周波数変換部には水平偏波の前記高域側の衛星放送信号が入力される第三の混合器と、垂直偏波の前記高域側の衛星放送信号が入力される第四の混合器とを設け、前記第一の発振器と前記第二の発振器とを共に動作状態にした。
【００１５】
また、前記第一の混合器乃至前記第四の混合器からそれぞれ出力される中間周波信号が入力されると共に前記四種の中間周波信号のいずれかを選択して二つの出力端子に独立して出力する二極四投の切替回路を設け、前記二つの出力端子を前記金属筺体に取り付けた二つのコネクタにそれぞれ接続した。
【００１６】
【発明の実施の形態】
本発明の衛星放送受信用ダウンコンバータについて図１乃至図３を用いて説明する。図１は斜視図であり、直方体をなす有底状の金属製の筺体１は鋳造等によって作られ、その底部１ａの端側には衛星からの放射された衛星信号を取り入れる導波管２が取り付けらる。衛星放送信号は１０．７ＧＨｚ〜１２．７５ＧＨｚの衛星放送帯に配列されている。また、導波管２が取り付けられた側から離れた他の側面には二つのコネクタ３、４が取り付けられている。筺体１の内部には図２に示すように一枚の回路基板５が、その面が導波管の軸方向と直角となる状態で底部１ａに取り付けられる。そして、回路基板５が取り付けられた後に金属カバー（図示せず）が開口に取り付けられて密封される。回路基板５上には衛星放送信号を増幅し、且つ１乃至２ＧＨｚの中間周波信号に周波数変換するための回路が構成される。
【００１７】
導波管２内で水平偏波と垂直偏波に変換された衛星放送信号は回路基板５に導かれる。そして、周波数変換された中間周波信号は回路基板５からコネクタ３、４側に出力される。図３は回路基板５上に構成される回路を示す。
【００１８】
導波管２で変換された水平偏波及び垂直偏波がそれぞれ入力される第一の低雑音増幅器１１、第二の低雑音増幅器２１は導波管２に近い方に設けられ、第一の低雑音増幅器１１の次段には第一の分配器１２が設けられる。第一の分配器１２の一方の出力端には第一のバンドパスフィルタ１３が接続され、他方の出力端には第二のバンドパスフィルタ１４が接続される。第一のバンドパスフィルタ１３は衛星放送帯における水平偏波の低域側（１０．７ＧＨｚ〜１１．７ＧＨｚ）の衛星放送信号を通過し、第二のバンドフィルタ１４は高域側（１１．７ＧＨｚ〜１２．７５ＧＨｚ）の衛星放送信号を通過する。
【００１９】
同様に、第二の低雑音増幅器２１の次段には第二の分配器２２が設けられる。第二の分配器２２の一方の出力端には第三のバンドパスフィルタ２３が接続され、他方の出力端には第四のバンドパスフィルタ２４が接続される。第三のバンドパスフィルタ２３は衛星放送帯における垂直偏波の低域側（１０．７ＧＨｚ〜１１．７ＧＨｚ）の衛星放送信号を通過し、第四のバンドフィルタ２４は高域側（１１．７ＧＨｚ〜１２．７５ＧＨｚ）の衛星放送信号を通過する。
【００２０】
各偏波の低域側の衛星放送信号と高域側の衛星放送信号とをそれぞれ中間周波帯に周波数変換する周波数変換部３１と３２とは隣り合って設けられ、各バンドパスフィルタ１３、１４、２３、２４に接続される。
先ず、第一の周波数変換部３１は第一の混合器３１ａ、第二の混合器３１ｂ、第一の発振器３１ｃを有し、第一の混合器３１ａが第一のバンドパスフィルタ１３に接続され、第二の混合器３１ｂが第三のバンドパスフィルタ２３に接続される。従って、第一の混合器３１ａには水平偏波の低域側の衛星放送信号が入力され、第二の混合器３１ｂには垂直偏波の低域側の衛星放送信号が入力される。そして二つの混合器３１ａ、３１ｂには第一の発振器３１ｃから９．７５ＧＨｚの局部発振信号が供給される。
【００２１】
また、第二の周波数変換部３２は第三の混合器３２ａ、第四の混合器３２ｂ、第二の発振器３２ｃを有し、第三の混合器３２ａが第二のバンドパスフィルタ１４に接続され、第四の混合器３２ｂが第四のバンドパスフィルタ２４に接続される。従って、第三の混合器３２ａには水平偏波の高域側の衛星放送信号が入力され、第四の混合器３２ｂには垂直偏波の高域側の衛星放送信号が入力される。そして二つの混合器３２ａ、３２ｂには第二の発振器３２ｃから１０．６ＧＨｚの局部発振信号が供給される。
【００２２】
従って、第二のバンドパスフィルタ１４と第三の混合器３２ａとを接続するための信号線２９と第三のバンドパスフィルタ２３と第二の混合器３１ｂとを接続するための信号線３０とが回路基板５上で交差するだけなので互いの絶縁を確保することは簡単である。
また、二つの発振器３１ｃと３２ｃとは発振周波数が互いに異なっていることから互いの干渉を避けるために、少なくとも一方、例えば第二の発振器３２ｃが図２に示すようにシールドケース６によって覆われる。
【００２３】
以上の構成によって、第一の混合器３１ａからは水平偏波の低域側の衛星放送信号が０．９５ＧＨｚ〜１．９５ＧＨｚの中間周波帯にブロック変換されて中間周波信号として出力され、第二の混合器３１ｂからは垂直偏波の低域側の衛星放送信号が０．９５ＧＨｚ〜１．９５ＧＨｚの中間周波帯にブロック変換されて中間周波信号として出力される。また、第三の混合器３２ａからは水平偏波の高域側の衛星放送信号が１．１ＧＨｚ〜２．１５ＧＨｚの中間周波帯にブロック変換されて中間周波信号として出力され、第四の混合器３２ｂからは垂直偏波の高域側の衛星放送信号が１．１ＧＨｚ〜２．１５ＧＨｚの中間周波帯にブロック変換されて中間周波信号として出力される。
【００２４】
第一の混合器３１ａ乃至第四の混合器３２ｂには切替回路３３が接続される。切替回路３３は第一乃至第四の入力端３３ａ、３３ｂ、３３ｃ、３３ｄと第一及び第二の出力端３３ｅ、３３ｆとを有する２極四投型の構成となっており、二つの出力端３３ｅ、３３ｆがそれぞれ入力端３３ａ、３３ｂ、３３ｃ、３３ｄのいずれか一つに接続されるようになっている。そして、第一の混合器３１ａが第一の入力端３３ａに接続され、第二の混合器３１ｂが第二の入力端３３ｂに接続され、第三の混合器３２ａが第三の入力端３３ｃに接続され、第四の混合器３２ｂが第四の入力端に接続される。また、第一の出力端３３ｅは一方のコネクタ３に接続され、第二の出力端３３ｆは他方のコネクタ４に接続される。
【００２５】
以上のことから、一方のコネクタ３と他方のコネクタ４には上記の四種の中間周波信号のいずれかが出力される。各コネクタ３、４はそれぞれ独立したチューナに接続され、そのチューナによって中間周波帯におけるいずれかのチャンネルの中間周波信号が選択される。
【００２６】
上記構成では、低域側の衛星放送信号を周波数変換するための第一の発振器３１ｃまたは高域側の衛星放送信号を周波数変換するための第二の発振器３２ｃが共に同一の回路基板５上に構成されても、少なくとも一方がシールドケース６によって覆われるので、局部発振信号同士の干渉がない。また、水平偏波及び垂直偏波の衛星放送信号を低域側と高域側とに分配して二つの周波数変換部に入力する際にも同一回路基板上で処理するので構造的に簡単になる。さらに、一つの切替回路３３が使用できるメリットがある。
【００２７】
【発明の効果】
以上説明したように、本発明においては金属筺体と、金属筺体内に収納された回路基板と、回路基板上に構成された第一の周波数変換部と第二の周波数変換部とを備え、第一の周波数変換部は衛星放送帯の低域側の衛星放送信号を中間周波帯にダウンコンバートするための局部発振信号を出力する第一の発振器を有し、第二の周波数変換部は衛星放送帯の高域側の衛星放送信号を中間周波帯にダウンコンバートするための局部発振信号を出力する第二の発振器を有し、第一の発振器又は第二の発振器の少なくとも一方をシールドケース内に収納したので、一枚の回路基板上に回路を構成しても二つの発振器同士の干渉が避けられる。また、一枚の回路基板に回路を構成するので組立作業が簡単となり、薄型化も図れる。
【００２８】
また、第一の周波数変換部には水平偏波の低域側の衛星放送信号が入力される第一の混合器と、垂直偏波の低域側の衛星放送信号が入力される第二の混合器とを設け、第二の周波数変換部には水平偏波の高域側の衛星放送信号が入力される第三の混合器と、垂直偏波の高域側の衛星放送信号が入力される第四の混合器とを設け、第一の発振器と第二の発振器とを共に動作状態にしたので、各混合器からは常に四種の中間周波信号が取り出すことができる。
【００２９】
また、第一の混合器乃至第四の混合器からそれぞれ出力される中間周波信号が入力されると共に四種の中間周波信号のいずれかを選択して二つの出力端子に独立して出力する二極四投の切替回路を設け、二つの出力端子を金属筺体に取り付けた二つのコネクタにそれぞれ接続したので、一つの切替回路を使用して二つのコネクタに中間周波信号を取り出せる。また、コネクタと切替回路との接続も簡単となる。
【図面の簡単な説明】
【図１】本発明の衛星放送受信用ダウンコンバータの斜視図である。
【図２】本発明の衛星放送受信用ダウンコンバータの要部断面図である。
【図３】本発明の衛星放送受信用ダウンコンバータの回路図である。
【図４】従来の衛星放送受信用ダウンコンバータの斜視図である。
【図５】従来の衛星放送受信用ダウンコンバータの要部断面図である。
【図６】従来の衛星放送受信用ダウンコンバータの回路図である。
【符号の説明】
１　筺体
２　導波管
３、４　コネクタ
５　回路基板
６　シールドケース
１１　第一の低雑音増幅器
１２　第一の分配器
１３　第一のバンドパスフィルタ
１４　第二のバンドパスフィルタ
２１　第二の低雑音増幅器
２２　第二の分配器
２３　第三のバンドパスフィルタ
２４　第四のバンドパスフィルタ
３１　第一の周波数変換部
３１ａ　第一の混合器
３１ｂ　第二の混合器
３１ｃ　第一の波新規
３２　第二の周波数変換部
３２ａ　第三の混合器
３２ｂ　第四混合器
３２ｃ　第二の発振器
３３　切替回路
３３ａ　第一の入力端
３３ｂ　第二の入力端
３３ｃ　第三の入力端
３３ｄ　第四の入力端
３３ｅ　第一の出力端
３３ｆ　第二の出力端
【図１】
2004048120.tif 000003
【図２】
2004048120.tif 000004
【図３】
2004048120.tif 000005
【図４】
2004048120.tif 000006
【図５】
2004048120.tif 000007
【図６】
2004048120.tif 000008